(57)【要約】      （修正有）【課題】人工木ウッドデッキ中空型床材に取り付ける誘導用点字鋲を、床材の表面からのはく離しにくくし、頻繁な補修作業を減少する。【解決手段】床材の中空部分５で誘導用点字鋲１が固定できるように、樹脂製円筒体を挿入して、ウッドデッキ３の中空部５の下部まで押し込み、穴部２と円筒体に接着剤を充填して誘導用点字鋲１を一体化して固定し、強い力が加わってもはく離しないようにした。【選択図】図１
2012158972.tif 000002
【特許請求の範囲】
【請求項１】
誘導用点字鋲を人工木中空ウッドデッキに取り付けるに際に、人工木中空ウッドデッキの取り付け穴部に、樹脂製円筒体を挿入して、前記ウッドデッキの中空部の下部まで押し込み、穴部と円筒体に接着剤を充填して、その部分に点字鋲足部を差し込んで固定することを特徴とする中空ウッドデッキ床材への点字鋲の取付方法
【請求項２】
樹脂製の円筒体は、厚さ０．１ｍｍ〜１．５ｍｍの筒状で、筒の直径として前記穴部の口径より０．１〜２ｍｍ大きく、人工木中空ウッドデッキの中空部の高さより０．１ｍｍより短いものを使用することを特徴とする請求項１に記載の中空ウッドデッキ床材への点字鋲の取付方法
【請求項３】
注入する接着剤は、通常使用されているエポキシ系であって、穴部と円筒体に充填して、穴部の半分の位置まで注入することを特徴とする請求項１又は請求項２に記載の中空ウッドデッキ床材への点字鋲の取付方法
【発明の詳細な説明】
【技術分野】
【０００１】  ハートビル法及びやさしいまちづくり条例等法律で視覚障害者のため、建物の入りや歩道などに点字鋲の設置が義務化されているが、人工再生木などで作られた中空ウッドデッキ床材の現場で、施工が非常に容易で安価に出来、しかも長持ちする点字鋲を提供する。
【背景技術】
【０００２】  間伐木材や廃材木の再生利用で、木を一度細かく砕き樹脂と混合させ、型成型でデッキ材料を作る技術が進み、以前使われていた天然木材より丈夫で安く生産出来るようになった。【０００３】  この床材は安く施工出来るように中を空洞に成型されている、空洞にすることで重量が軽くなり材料も少なく製造でき、軽くなったことで輸送コストも下がり、水に強い事で以前は、ベイエリア等水辺での使用が多かったが、安くて丈夫なので最近では街中のビル建築で、使用される事も多くなった。【０００４】  ビルを新築又は改築する時、視覚障害者の為に点字鋲を設置することになるが、この床に設置された点字鋲は、接着工法の場合外れる事が頻繁に起き、ビス工法（特許文献１）の場合、床材の肉厚が６ｍｍと薄い為にインサートナットが使えず、直接ビスで床材に縫い付ける事になるが、床材の肉厚が薄い為、床材がしなる事で後日ビスが緩んで危険な状態になっている。【０００５】  特許文献１に示す様ビス工法の場合には、固定ビスが少しずつ緩んできて、危険な状態になるため補修工事が頻繁におこる。また特許文献２に示すような方法では、点字鋲を定着させる為の受け材を床材の下部に仕込む必要があるが、再生ウッドデッキに仕込むのは不可能である。特許文献３の方法では、点字鋲を定着させる為の受け材自体が大きな物で出来ており、これもデッキ材の下部に仕込む事は不可能である。
【先行技術文献】
【特許文献】
【０００６】
【特許文献１】特開平０９−０２１１１８
【特許文献２】特開２００１−１８２０２３
【特許文献３】特開２００５−０１６１７０
【発明の概要】
【発明が解決しようとする課題】
【０００７】  形成型再生中空ウッドデッキは、２ｍか３ｍの長尺品で施工され、主成分が樹脂で出来ている、点字鋲の材質はステンレススチール、真鍮、アルミニウム、樹脂製など様々だが、規格はＪＩＳＴ９２５１で決められている、再生ウッドデッキの表面は、接着剤が強力に付着する性質を持っておらず着きずらい、しかも長尺に対し交差するように取り付けられると、図１−Ｂのように点字鋲が何枚かの再生ウッドデッキを跨ぐようになり、また人や物が通行し加重が掛かるとデッキは長いのでしなることになる。
接着面がバラバラの動きをすることで、反対方向への動きに耐え切れず接着剤は、はく離して点字鋲がはずれ、頻繁に補修工事が発生することが多い。【０００８】  点字鋲を定着させる為の受け材を床材の下部に仕込む必要があるが、再生ウッドデッキに仕込むのは不可能である。また点字鋲を定着させる為の受け材自体が大きな物で出来ており、これもデッキ材の下部に仕込む事は不可能であった。【０００９】床材が石やタイルあるいはコンクリート等であれば、床材に穴を空けて接着材を空けた穴に接着剤を流し込んで固定させるが中空ウッドデッキの場合このような方法は出来ないので、デッキ材の表面と点字鋲が接触する点字鋲の裏面に、接着剤を塗り貼り付けるのみの方法しかなく、後日簡単にはく離してしまう懸念があった。この様な問題を解決できる技術、方法を考案した。
【課題を解決するための手段】
【００１０】発明における技術は再生中空ウッドデッキに点字鋲を取り付けた後、長期間の使用に耐え補修工事を少なくし、安全な点字鋲を提供することにある。【００１１】  誘導用点字鋲を人工木中空ウッドデッキに取り付けるに際に、人工木中空ウッドデッキの取り付け穴部に、樹脂製円筒体を挿入して、前記ウッドデッキの中空部の下部まで押し込み、穴部と円筒体に接着剤を充填して、その部分に点字鋲足部を差し込んで固定する中空ウッドデッキ床材への点字鋲の取付方法である。【００１２】  樹脂製の円筒体は、厚さ０．１ｍｍ〜１．５ｍｍの筒状で、筒の直径として前記穴部の口径より０．１〜２ｍｍ大きく、人工木中空ウッドデッキの中空部の高さより０．１ｍｍより短いものを使用する。注入する接着剤は、通常使用されているエポキシ系であって、穴部と円筒体に充填して、穴部の半分の位置まで注入する。【００１３】  本発明の点字鋲は、図３−Ａの４で示す点字鋲の足に当たる部分がネジで出来ており、１の点字鋲にタップが切られ、図３−Ｂの５に示すウッドデッキの中空の深さに合わせ取替えることで、接着面積を増やすことが出来る。【００１４】  本発明の点字鋲の取り付け工法は、従来に無くまったく新しい方法である、図３−Ｂの２は電気ドリルであけられた穴を示す、図３−Ｂの６は、２の穴よりはるかに大きな口径の樹脂製円筒体の立面である。【００１５】樹脂製円筒体は中空の深さに合わせ切断したもので、縦方向にも切断しておく。樹脂製円筒体は縦方向に一箇所切断することで、口径を小さくする事が出来、穴の中から下へ送り込むと口径は復元し、長さを空間の高さに合わせ切断することで転倒することも無い。樹脂製円筒体を設置したことで、図３−Ｂでの７の接着剤を注入しデッキの穴まで満たすことができる、図３−Ｃの８はそれを示す。【００１６】図３のＡ，Ｂ，Ｃは工程図で、接着前の点字鋲を示す、デッキの穴まで接着材を満たした後、誘導用点字鋲を設置する。図１のＡ，Ｂは完成した断面と平面の図である。
【発明の効果】
【００１７】  接着剤を穴の入り口まで満たし固めることで、点字鋲はウッドデッキと一体化となりはく離することが無くなる。
再生木中空ウッドデッキ材は、間伐材木や廃材木の再利用を目的とした新しい技術であるため、従来の点字鋲を取り付ける技術では対応出来ていなかった。【００１８】  視覚障害者の為の点字鋲は、バリアフリーを目的として設置されるので、床材の材質に関係なく、それを利用する人が使いやすい様に設置することを法律で決めている。
必然的に点字鋲は、デッキ材を複数またいで取り付けることになるが、本発明で施工したことで、補修が発生しなくなり、施工手間と時間が短縮される。
【図面の簡単な説明】
【００１９】
【図１】取り付け完成時の立断面と平面図  Ａ：立断面  Ｂ：平面
【図２】樹脂製円筒体図
【図３】取り付け工程図  Ａ：点字鋲本体、Ｂ：接着剤注入  Ｃ：点字鋲取り付け前
【図４】従来型で一般的な施工例（ビス止め）
【図５】従来型で接着剤注入施工例
【発明を実施するための形態】
【００２０】  以下、本発明の実施形態について、図面を参照しつつ詳細に説明すれば、図２の樹脂製の円筒体６の口径は、図３−Ｂの２で示す穴の口径より大きいものを使用する、通常であれば図３−Ｂで示す下部の空間５に設置する事は出来ないが、縦方向に１箇所切断して絞る事で、穴の口径２より口径が小さくなり可能となる。
【００２１】  この樹脂製円筒体はウッドデッキの空間の深さに合わせ、長さを調整し切断しておく。この樹脂製円筒体が空間で安定することにより、２の穴からエポキシ系接着剤を樹脂製円筒体に注入し、８のようにウッドデッキの穴の入り口まで満たす事が出来る。
【実施例１】
【００２２】  中空ウッドデッキ床材への点字鋲の取付方法に関する施工実績を説明する。ベイエリアのショッピングセンターでは海の景観を取り込むように、買い物客が歩く床面を、ウッドデッキにした。
人工木再生型ウッドデッキが開発される以前は、天然木で施工していたが潮風の塩害などで長持ちしない事と、環境に優しいリサイクル品を使いたいと言う要望が多く、人工木再生型が主流になった。【００２３】  そこは立体駐車場とショッピングエリアを車道が横断するように出来ているため、駐車場から売り場まで直接歩道橋でつなぐ工事があった。視覚障害者のために、駐車場から売り場の受付まで点字誘導が必要になったので、施工した。
歩道橋は幅５ｍ長さ４０ｍ位であり、中空のウッドデッキは３ｍの定寸なので幅５ｍに対し、３ｍとカットされた２ｍで施工された。点字誘導鋲は約３０ｃｍであるが、４０ｍの長さを複数のウッドデッキを交差するように取り付けた。【００２４】  車で来た人は、行き帰りに歩道橋を利用することになり多くの通行となる、人が多い分デッキのしなりは大きく、従来型点字鋲施工ではすぐにはく離していたが、エポキシ系接着剤が中空で点字鋲の足である棒と固まり、デッキと一体化したことではく離することがない。
【実施例２】
【００２５】  人工木ウッドデッキは耐久性能に優れているため、ビルの敷地に広く使われる用になった、夏場の照り返しが少なく省エネ効果が有る為と、雨水をビルの地下に溜め込み再生水をトイレ等で利用している。デッキ材を床材で使えば景観も豪華に見え、雨水を集める集水システムも隠し、人が歩く所の水はけが良くなった。【００２６】  新築ビルの外部敷地全体に中空ウッドデッキが施工されたので、点字鋲はその上に取り付けた。点字鋲は外部歩道からビルの入り口まで連続して施工することになるが、このビルの場合敷地内に植木などの障害物が有ったため、それを避けるように、点字鋲は複数のデッキ材を交差するように付けたり、平行するように取り付けた。【００２７】  従来の接着工法ではすぐにはく離してしまい、ビス止め工法は交差して取り付けるとビスが緩んでくる、施工手間も多く時間が長くかかる。
しかしデッキの中空に樹脂円筒体仕込み、エポシキ系接着剤が固まると金属のように硬いクサビとなり、はく離することは無い。また樹脂円筒体は市販のもので安く買え、それをカットして仕込むだけなので簡単であり、施工時間も短くなった。
【符号の説明】
【００２８】１  誘導用点字鋲
２  人工木中空ウッドデッキの取り付け用穴
３  人工木中空ウッドデッキ
４  誘導用点字鋲の足
５  ウッドデッキの空間
６  樹脂製円筒体
７  エポキシ系接着剤（商品名ＨＩＬＴＩ−ＲＥ５００）
８  エポキシ系接着剤がウッドデッキの穴まで充填された所
９  接着剤が空間で流れている所
１０  従来型の誘導用点字鋲で一般的な物
１１  従来型の誘導用点字鋲でビス止め方式のビス
１２  従来型の誘導用点字鋲でビス止め方式の物
１３  樹脂製円筒体の縦方向に切断された所
【図１】
2012158972.tif 000003
【図２】
2012158972.tif 000004
【図３】
2012158972.tif 000005
【図４】
2012158972.tif 000006
【図５】
2012158972.tif 000007